(57)【要約】【課題】検知対象ガスの濃度を、ケーブルの線路抵抗による影響を受けることなく、高い信頼性をもって検出することのできるガス検出システムを提供すること。【解決手段】このガス検出システムは、互いに離れた位置に設置された、検知対象ガスの接触によって抵抗値が変化するセンサ素子を有するガスセンサを具えたガス検知器と、管理装置とがケーブルにより接続されてなり、管理装置は、電流検出回路により検出される定電流電源回路よりセンサ素子に供給される電流値と、電圧検出回路により検出されるセンサ素子に印加される電圧値とに基づいて、ケーブルの線路抵抗値を算出し、センサ出力として取得される前記ケーブルの線路抵抗値を含んだ検出抵抗値より当該線路抵抗値の影響分を排除することにより、センサ素子自体の抵抗値を取得し、当該センサ素子の抵抗値に基づいて検知対象ガスの濃度を算出するガス濃度算出手段を具えた構成とされている。【選択図】図３
2015017865.tif 000002
【特許請求の範囲】
【請求項１】
検知対象ガスの接触によって抵抗値が変化するセンサ素子を有するガスセンサを具えたガス検知器と、当該ガス検知器と離れた位置に設置されて当該ガス検知器とケーブルにより接続された管理装置とにより構成されたガス検出システムにおいて、
前記管理装置は、前記センサ素子に定電流を供給する定電流電源回路と、前記センサ素子に供給される電流を検出する電流検出回路と、当該センサ素子に印加される電圧を検出する電圧検出回路と、前記センサ素子の抵抗値に基づいて検知対象ガスの濃度を算出するガス濃度算出手段とを具えており、
当該ガス濃度算出手段は、前記電流検出回路により検出される電流値と、前記電圧検出回路により検出される電圧値とに基づいて、前記ケーブルの線路抵抗値を算出し、センサ出力として取得される前記ケーブルの線路抵抗値を含んだ検出抵抗値より当該線路抵抗値の影響分を排除することにより、センサ素子自体の抵抗値を取得する機能を有することを特徴とするガス検出システム。
【請求項２】
前記ガス検知器は、検知対象ガスの接触によって抵抗値が変化する感応部および当該感応部を加熱するヒーターにより構成されたセンサ素子を有する半導体式ガスセンサを具えてなるものであり、
前記管理装置は、基準電源が負荷抵抗を介して前記半導体式ガスセンサにおける感応部に直列に接続されて構成された、当該負荷抵抗の端子電圧を検出することによりセンサ出力としての検出抵抗値を取得するセンサ信号処理回路を具えており、
前記ガス濃度算出手段は、前記負荷抵抗の抵抗値をＲＬ〔Ω〕、前記基準電源の電源電圧をＶ０〔ｍＶ〕、前記負荷抵抗の端子電圧をＶＬ〔ｍＶ〕、前記半導体式ガスセンサに定電流を供給することにより生ずるオフセット電圧をＶｏｆｆ〔ｍＶ〕、前記ケーブルの線路抵抗値をＲ〔Ω〕としたとき、前記半導体式ガスセンサにおける感応部の抵抗値Ｒｓ〔Ω〕を、下記式（１）により、算出することを特徴とする請求項１に記載のガス検出システム。
【数１】
2015017865.tif 000007
【請求項３】
複数の前記ガス検知器を１つのグループとするガス検知器群を具えており、
前記管理装置は、前記ガス検知器群に属する各ガス検知器に共有の駆動回路を具えており、ガス検知器の各々を作動モードと休止モードとを繰り返すよう間欠的に駆動し、かつ、ガス検知器を順次に連続して作動モードとする動作シーケンスを実行する機能を有し、作動モードにある一のガス検知器に、一定の大きさに制御されたセンサ駆動電流を供給しながら、休止モードにある他のガス検知器に、当該センサ駆動電流より小さい予熱電流を供給することを特徴とする請求項１または請求項２に記載のガス検出システム。
【請求項４】
前記駆動回路は、前記定電流電源回路を有するセンサ駆動電流供給回路と、予熱電流供給回路と、当該センサ駆動電流供給回路および当該予熱電流供給回路のいずれか一方をガス検知器に接続する、ガス検知器の各々に対応する複数のスイッチ手段とを具えており、
前記管理装置は、前記予熱電流供給回路に、センサ駆動電流の大きさとの関係において設定された大きさの定電圧を入力することを特徴とする請求項３に記載のガス検出システム。
【発明の詳細な説明】
【技術分野】
【０００１】
本発明は、例えば、冷凍空調機器の冷媒ガスの漏れを検出するためのガス検出システムに関する。
【背景技術】
【０００２】
近年、冷凍空調機器の使用時におけるフロンガスの漏洩について、従来考えられていたよりもはるかに多くの量のフロンガスが運転中に漏洩していることが報告されており、フロンガス漏洩の発生原因としては、例えば、冷凍空調機器の設置時または整備時の不備、冷凍空調機器の稼働による経年劣化などが考えられている。
【０００３】
冷凍空調機器等の冷媒として使用されるフロンガスは温室効果が極めて大きく、気候変動対策の観点から大気への放出を防止すること必要とされており、冷凍空調機器の使用時において、フロンガスの漏洩を監視することが求められている。
【０００４】
例えば特許文献１の特開２０１１−１７４６８５号公報には、冷凍サイクルからのガス漏れを検知可能な位置に配置された複数のガス検知器と、これらのガス検知器が適宜の通信線を介して接続された集中管理装置とにより構成されたガス漏洩監視システムにおいて、集中管理装置によってガス漏れの検知状態を常時監視することにより冷凍空調機器からのガス漏れを検知する方法が示されている。
【先行技術文献】
【特許文献】
【０００５】
【特許文献１】特開２０１１−１７４６８５号公報
【発明の概要】
【発明が解決しようとする課題】
【０００６】
現在、フロンガスの検出にあっては、半導体式ガスセンサが広く利用されている。半導体式ガスセンサは、その検知原理上、ガス測定に際してセンサ素子を特定の温度に保つことが必要されている。従って、特許文献１のようなガス漏洩を常時監視するシステムにおいては、すべてのガス検知器におけるガスセンサに対して規定の大きさの電流供給が必要となり、また、ガス検知器の各々に対応した複数の電源回路が必要となるため、消費電力が増大する、という問題がある。
【０００７】
また、図３を参照して説明すると、半導体式ガスセンサ１１は、通常、半導体物質よりなる感応部１２を負荷抵抗５２を介して基準電源５１に直列に接続し、検知対象ガスの濃度により変化する感応部１２の抵抗（電気抵抗）を負荷抵抗５２の端子電圧として検出するように回路構成されて使用される。
しかしながら、上記のようなガス漏洩監視システムにおいては、ガス検知器と管理装置とが、例えば数百メートルオーダのケーブルにより接続される場合があり、また、ケーブルの長さが不定であるため、ケーブルの線路抵抗に起因した誤差が測定結果に含まれてしまう、という問題がある。
【０００８】
本発明は、以上のような事情に基づいてなされたものであって、ガス検知器と管理装置とがケーブルにより接続されて構築されるガス検出システムにおいて、検知対象ガスの濃度を、ケーブルの線路抵抗による影響を受けることなく、高い信頼性をもって検出することのできるガス検出システムを提供することを目的とする。
【課題を解決するための手段】
【０００９】
本発明のガス検出システムは、検知対象ガスの接触によって抵抗値が変化するセンサ素子を有するガスセンサを具えたガス検知器と、当該ガス検知器と離れた位置に設置されて当該ガス検知器とケーブルにより接続された管理装置とにより構成されたものにおいて、
前記管理装置は、前記センサ素子に定電流を供給する定電流電源回路と、前記センサ素子に供給される電流を検出する電流検出回路と、当該センサ素子に印加される電圧を検出する電圧検出回路と、前記センサ素子の抵抗値に基づいて検知対象ガスの濃度を算出するガス濃度算出手段とを具えており、
当該ガス濃度算出手段は、前記電流検出回路により検出される電流値と、前記電圧検出回路により検出される電圧値とに基づいて、前記ケーブルの線路抵抗値を算出し、センサ出力として取得される前記ケーブルの線路抵抗値を含んだ検出抵抗値より当該線路抵抗値の影響分を排除することにより、センサ素子自体の抵抗値を取得する機能を有することを特徴とする。
【００１０】
本発明のガス検出システムにおいては、前記ガス検知器は、検知対象ガスの接触によって抵抗値が変化する感応部および当該感応部を加熱するヒーターにより構成されたセンサ素子を有する半導体式ガスセンサを具えてなるものであり、
前記管理装置は、基準電源が負荷抵抗を介して前記半導体式ガスセンサにおける感応部に直列に接続されて構成された、当該負荷抵抗の端子電圧を検出することによりセンサ出力としての検出抵抗値を取得するセンサ信号処理回路を具えており、
前記ガス濃度算出手段は、前記負荷抵抗の抵抗値をＲＬ〔Ω〕、前記基準電源の電源電圧をＶ０〔ｍＶ〕、前記負荷抵抗の端子電圧をＶＬ〔ｍＶ〕、前記半導体式ガスセンサに定電流を供給することにより生ずるオフセット電圧をＶｏｆｆ〔ｍＶ〕、前記ケーブルの線路抵抗値をＲ〔Ω〕としたとき、前記半導体式ガスセンサにおける感応部の抵抗値Ｒｓ〔Ω〕を、下記式（１）により、算出する構成のものとすることができる。
【００１１】
【数１】
2015017865.tif 000003
【００１２】
さらにまた、本発明のガス検出システムにおいては、複数の前記ガス検知器を１つのグループとするガス検知器群を具えており、
前記管理装置は、前記ガス検知器群に属する各ガス検知器に共有の駆動回路を具えており、ガス検知器の各々を作動モードと休止モードとを繰り返すよう間欠的に駆動し、かつ、ガス検知器を順次に連続して作動モードとする動作シーケンスを実行する機能を有し、作動モードにある一のガス検知器に、一定の大きさに制御されたセンサ駆動電流を供給しながら、休止モードにある他のガス検知器に、当該センサ駆動電流より小さい予熱電流を供給する構成とされていることが好ましい。
このような構成のものにおいては、前記駆動回路は、前記定電流電源回路を有するセンサ駆動電流供給回路と、予熱電流供給回路と、当該センサ駆動電流供給回路および当該予熱電流供給回路のいずれか一方をガス検知器に接続する、ガス検知器の各々に対応する複数のスイッチ手段とを具えており、
前記管理装置は、前記予熱電流供給回路に、センサ駆動電流の大きさとの関係において設定された大きさの定電圧を入力する構成とされていることが好ましい。
【発明の効果】
【００１３】
本発明のガス検出システムによれば、センサ出力として得られる検出抵抗値よりケーブルの線路抵抗による影響分を排除したセンサ素子自体の抵抗値を得ることができ、検知対象ガスの濃度が当該センサ素子自体の抵抗値に基づいて算出されるので、得られる測定結果は、高い信頼性を有するものとなる。
また、演算によりガス濃度を算出することができるので、例えばガス検知器の校正処理を行う場合には、ガス検知器に対して校正用ガスを供給する必要がなく、また、必ずしも、ガス検知器が設置された場所での作業自体を行う必要もないため、高い作業効率が得られる。従って、複数のガス検知器により構築されたシステムにおいて極めて有用である。
【００１４】
また、複数のガス検知器によるガス検出システムにおいては、複数のガス検知器を１つのグループとしてグループ化されたガス検知器群毎に、ガス検知器におけるガスセンサの動作状態が制御されるので、規定の大きさのセンサ駆動電流を供給するための電源回路は、一のガス検知器群につき一のガス検知器に対するもののみでよく、従って、システム全体における電源回路の数を低減することができて、消費電力の低減を図ることができる。
しかも、作動モードとされる一のガス検知器におけるガスセンサにセンサ駆動電流が供給されながら、当該ガス検知器と同一のガス検知器群に属する他のガス検知器におけるガスセンサの各々に予熱電流が供給されるので、休止モードから作動モードに移行されたときに、ガスセンサの出力を安定させるために必要とされる暖機処理時間を大幅に短縮することができ、しかも、休止モード時に供給される予熱電流はセンサ駆動電流以下の大きさであるため、休止モード時にガスセンサに対する給電が停止されるよう間欠制御される構成のものに比して、システム全体として消費電力の低減を図ることができる。
【００１５】
さらにまた、管理装置が、ガスセンサの休止モード時において、予熱電流供給回路に一定の大きさの電圧を入力する構成とされていることにより、ガスセンサに供給される予熱電流の大きさは、管理装置とガス検知器との設置位置との距離に応じた線路抵抗による電圧降下に依存することとなり、別個の電源回路を設けることなく、所期の大きさの予熱電流をガス検知器に供給することができ、消費電力が増大することを回避することができる。
【図面の簡単な説明】
【００１６】
【図１】本発明のガス検出システムに係るガス漏洩監視システムの一例における構成の概略を示すブロック図である。
【図２】半導体式ガスセンサにおけるセンサ素子の一例における構成の概略を示す斜視図である。
【図３】センサ駆動回路の一例における構成の概略を示す回路図である。
【図４】図１に示すガス漏洩監視システムにおける各ガス検知器の動作シーケンスを示すタイミングチャートである。
【発明を実施するための形態】
【００１７】
以下、本発明の実施の形態について、例えば大型スーパーストアの冷蔵ショーケースなどの冷凍空調機器からの冷媒ガスの漏れを監視する場合を例に挙げて、詳細に説明する。
図１は、本発明のガス検出システムに係るガス漏洩監視システムの一例における構成の概略を示すブロック図である。このガス漏洩監視システムは、例えば、互いに異なる測定ポイントに配置された複数のガス検知器１０（ａ１〜ａ４，ｂ１〜ｂ４，ｃ１〜ｃ４，ｄ１〜ｄ４，ｅ１〜ｅ４）（以下、特定のものについて言及する場合を除いて、一部を省略して単に符号「１０」を用いる。）と、これらのガス検知器１０の各々が適宜の給電用／信号伝送用ケーブル１８により接続された管理装置２０とにより構成されている。
そして、このガス漏洩監視システムにおいては、各々複数のガス検知器１０を一のグループとする複数のガス検知器群１５ａ〜１５ｅが設定されている。この例においては、一のガス検知器群に属するガス検知器１０の数が４台、ガス検知器群の数が５つに設定されており、同一のガス検知器群に属するガス検知器１０については、例えば同一の長さの給電用／信号伝送用ケーブル１８が用いられている。ここに、給電用／信号伝送用ケーブル１８の長さは、特に制限されるものではないが、通常、例えば２０００ｍ以下のものが用いられる。
【００１８】
ガス検知器１０としては、検知対象ガスの接触によって抵抗値が変化するセンサ素子を有するガスセンサ、例えば半導体式ガスセンサを具えたものが用いられており、例えば冷凍サイクルにおける高温高圧ガス冷媒や高圧液冷媒が流れる配管及び機器の継手部分の近傍位置などに配置される。
【００１９】
半導体式ガスセンサにおけるセンサ素子は、図２に示すように、通電により発熱する抵抗体の周囲に、金属酸化物半導体よりなる感応部１２が形成されて、構成されている。
感応部１２を構成する金属酸化物半導体としては、例えば、酸化スズ（ＳｎＯ２）などの酸化触媒がアルミナ（Ａｌ２Ｏ３）担体と共に焼結されてなるものを用いることができる。
抵抗体は、例えば白金またはその合金よりなる金属素線がコイル状に巻回されてなるコイル部１３ａおよびこのコイル部１３ａの両端に連続する直線状のリード部１３ｂを有するヒーター１３よりなる。
【００２０】
管理装置２０は、半導体式ガスセンサにおける感応部１２の抵抗値に基づいて検知対象ガスの濃度を算出する機能を有するマイコン２１と、複数のガス検知器群１５ａ〜１５ｅの各々に対応する複数のセンサ駆動回路３０ａ〜３０ｅとを具えている。
【００２１】
センサ駆動回路３０ａは、ガス検知器群１５ａに属するガス検知器１０（ａ１〜ａ４）の各々を、それぞれ、半導体式ガスセンサの暖機処理および当該暖機処理に連続してガス測定が行われる作動モードと休止モードとが繰り返して行われるよう、間欠的に駆動する機能を有する。センサ駆動回路３０ａは、作動モード時には、所定の大きさの定電流であるセンサ駆動電流を半導体式ガスセンサにおけるヒーター１３に供給すると共に、休止モード時には、センサ駆動電流より小さい電流である予熱電流を半導体式ガスセンサにおけるヒーター１３に供給する。
【００２２】
センサ駆動回路３０ａは、図３に示すように、ガス検知器１０（ａ１〜ａ４）における半導体式ガスセンサ１１のヒーター１３にセンサ駆動電流を供給する定電流電源回路３１を有するセンサ駆動電流供給回路３５と、休止モードにあるガス検知器における半導体式ガスセンサ１１のヒーター１３に予熱電流を供給する予熱電流供給回路３８と、センサ駆動電流供給回路３５および予熱電流供給回路３８のいずれか一方を選択的にガス検知器１０ａ１〜１０ａ４に接続する動作モード切り替えスイッチ４０１〜４０４とを具えている。
【００２３】
センサ駆動電流供給回路３５には、半導体式ガスセンサ１１に供給すべきセンサ駆動電流の大きさを監視するヒーター電流検出回路３２が設けられている。ヒーター電流検出回路３２は、定電流電源回路３１と動作モード切り替えスイッチ４０１〜４０４との間に介挿された、半導体式ガスセンサ１１のヒーター１３に供給される電流（ヒーター電流）を検出するヒーター電流検出抵抗３２ａを有する。
ヒーター電流検出回路３２の出力端子はマイコン２１に接続されており、ヒーター電流検出回路３２よりの電流検知信号がマイコン２１における電流検知信号入力端子２１ａに入力される。そして、電流検知信号に基づいて設定された電流調整信号がマイコン２１より定電流電源回路３１に入力されて供給電流の調整がなされる。３１ａは、定電流電源回路３１における電源入力端子であって、所定の大きさの定電圧が図示しない電源より入力される。また、２１ｂは、マイコン２１における電流調整信号出力端子である。
【００２４】
また、センサ駆動電流供給回路３５には、ガス検知器１０（ａ１〜ａ４）における半導体式ガスセンサ１１のヒーター１３に印加される電圧を監視するヒーター電圧検出回路３３が設けられている。ヒーター電圧検出回路３３における出力端子はマイコン２１に接続されており、ヒーター電圧検出回路３３よりの電圧検知信号がマイコン２１における電圧検知信号入力端子２１ｇに入力される。図３における３３ａは、ヒーター電圧検出回路３３の電源入力端子である。
【００２５】
予熱電流供給回路３８における電源入力端子３９には、ガス検知器１０（ａ１〜ａ４）における半導体式ガスセンサ１１に供給される予熱電流が、管理装置２０とガス検知器１０（ａ１〜ａ４）との間の線間抵抗による電圧降下によって、センサ駆動電流以下の大きさとなるよう設定された所定の大きさの定電圧が入力される。
【００２６】
動作モード切り替えスイッチ４０１〜４０４は、ガス検知器群１５ａに属する複数のガス検知器１０ａ１〜１０ａ４の各々に対応して設けられている。各動作モード切り替えスイッチ４０１〜４０４は、ａ接点（常時開成）４１およびｂ接点（常時閉成）４２を具備しており、ガス検知器１０（ａ１〜ａ４）は、ａ接点４１を介してセンサ駆動電流供給回路３５に接続されていると共にｂ接点４２を介して予熱電流供給回路３８に接続されている。そして、各ガス検知器１０ａ１〜１０ａ４は、対応する動作モード切り替えスイッチ４０１〜４０４を介して、センサ駆動電流供給回路３５および予熱電流供給回路３８に対して並列に接続されている。
各動作モード切り替えスイッチ４０１〜４０４におけるａ接点４１およびｂ接点４２は、マイコン２１より入力される動作モード切り替え信号によって、いずれか一方が閉成されるよう互いに連動して制御される。２１ｃ〜２１ｆは、マイコン２１における動作モード切り替え信号出力端子である。
【００２７】
各ガス検知器１０ａ１〜１０ａ４におけるセンサ信号出力端子１４１〜１４４は、それぞれ、スイッチ手段４５を介して信号処理回路５０に接続されている。信号処理回路５０は、負荷抵抗５２を介して半導体式ガスセンサ１１における感応部１２に直列に接続された基準電源５１を具えており、半導体式ガスセンサ１１における感応部１２の抵抗値および給電用／信号伝送用ケーブル１８の線路抵抗値を含む検出抵抗値を、負荷抵抗５２の端子電圧（センサ出力）として検出する。
各スイッチ手段４５は、対応するガス検知器に係る動作モード切り替えスイッチのａ接点４１と連動して動作され、当該ａ接点４１が閉成されることに伴って、スイッチ手段４５が閉成される。そして、信号処理回路５０よりの作動モードにあるガス検知器に係るセンサ出力（電圧信号）がマイコン２１におけるガス検知信号入力端子２１ｈに入力される。
【００２８】
以上において、ガス検知器群１５ｂ〜ガス検知器群１５ｅに係るセンサ駆動回路３０ｂ〜３０ｅは、センサ駆動回路３０ａと同一の構成とされており、説明は省略する。
【００２９】
而して、上記のガス漏洩監視システムにおいては、管理装置２０におけるマイコン２１は、ヒーター電流検出回路３２により検出されるヒーター電流値と、ヒーター電圧検出回路３３により検出されるヒーター電圧値とに基づいて、給電用／信号伝送用ケーブル１８の線路抵抗値Ｒを算出し、センサ出力として取得される検出抵抗値（Ｒｓ＋２Ｒ）より当該線路抵抗値の影響分（２Ｒ）を排除することにより、半導体式ガスセンサ１１における感応部１２自体の抵抗値（Ｒｓ）を取得する機能を有する。
【００３０】
すなわち、マイコン２１は、先ず、ヒーター電流検出回路３２によって検出されるヒーター電流値をＡｈ〔ｍＡ〕、ヒーター電圧検出回路３３によって検出されるヒーター電圧値をＶｈ〔ｍＶ〕としたとき、下記式（２）より、給電用／信号伝送用ケーブル１８の線路抵抗値Ｒを算出する。
【００３１】
【数２】
2015017865.tif 000004
【００３２】
上記式（２）において、「ｎ」は、半導体ガスセンサ１１の信号電圧（センサ信号）を検出する回路構成に基づいて設定される１以上の整数であり、Ｖｃは、半導体式ガスセンサ１１に固有の規定のヒーター電圧値〔ｍＶ〕である。なお、この例のセンサ駆動回路３０ａは、半導体ガスセンサ１１の信号電圧（センサ信号）を例えば分圧により検出する構成とされており、検出されるヒーター電圧値Ｖｈは、例えば定電流電源回路３１よりの出力電圧を例えば１／４に分圧したものとなる。従って、上記式（２）において、ｎ＝４に設定される。
【００３３】
また、半導体式ガスセンサ１１に定電流（センサ駆動電流）を供給することにより生ずるオフセット電圧値Ｖｏｆｆ〔ｍＶ〕を、下記式（３）により、算出する。
【００３４】
【数３】
2015017865.tif 000005
【００３５】
次いで、半導体式ガスセンサ１１における感応部１２のセンサ抵抗値Ｒｓ〔Ω〕を、上記式（２）により算出された線路抵抗値Ｒ〔Ω〕および上記式（３）により算出されたオフセット電圧値Ｖｏｆｆ〔ｍＶ〕を用い、下記式（１）により、算出する。
【００３６】
【数４】
2015017865.tif 000006
【００３７】
上記式（１）において、ＲＬは負荷抵抗５２の抵抗値〔Ω〕、Ｖ０は基準電源５１の電源電圧〔ｍＶ〕、ＶＬは負荷抵抗５２の端子電圧（センサ出力）〔ｍＶ〕である。
【００３８】
そして、マイコン２１は、以上のようにして算出された感応部１２のセンサ抵抗値Ｒｓに基づいて検知対象ガスの濃度を算出する。
【００３９】
以下、上記のガス漏洩監視システムにおけるガス漏洩監視動作について説明する。
図４は、図１に示すガス漏洩監視システムにおける各ガス検知器の動作シーケンスを示すタイミングチャートである。
この例の動作シーケンスにおいては、例えば、すべてのガス検知器１０の動作条件が同一であって、同一のガス検知器群に属するガス検知器が順次に連続して作動モードとされると共に、各ガス検知器群における一のガス検知器が同時に作動モードとされる。
【００４０】
動作シーケンスについて、一のガス検知器群１５ａに着目して具体的に説明すると、マイコン２１より動作モード切り替え信号が各動作モード切り替えスイッチ４０１〜４０４に入力される。例えば、作動モードとされるべき一のガス検知器１０ａ１に係る動作モード切り替えスイッチ４０１においては、ａ接点４１が閉成されると共にｂ接点４２が開成され、また、他のガス検知器１０ａ２〜１０ａ４に係る動作モード切り替えスイッチ４０２〜４０４においては、ａ接点４１が開成され、ｂ接点４２が閉成される。
これにより、センサ駆動電流供給回路３５における定電流電源回路３１よりガス検知器１０ａ１に対してのみセンサ駆動電流が供給されて当該ガス検知器１０ａ１が作動モードされると共に、予熱電流供給回路３８における電源入力端子３９より定電圧が入力されることにより、同一のガス検知器群１５ａに属する他のガス検知器１０（ａ２〜ａ４）の各々に対して予熱電流が供給されて当該ガス検知器１０（ａ２〜ａ４）が休止モードとされる。
【００４１】
そして、作動モードにあるガス検知器１０ａ１にあっては、先ず、半導体式ガスセンサ１１の暖機処理が所定時間ｔ１の間行われる。その後、半導体式ガスセンサ１１の暖機処理に連続してガス測定が所定時間ｔ２の間行われる。一方、休止モードにあるガス検知器１０（ａ２〜ａ４）にあっては、半導体式ガスセンサ１１の予熱処理が行われる。
【００４２】
次いで、所定時間Ｔ０が経過した後、マイコン２１より動作モード切り替え信号が各動作モード切り替えスイッチ４０１〜４０４に入力されて、作動モードにあるガス検知器１０ａ１が休止モードに移行されるのと同時に、休止モードにある他のガス検知器の一が作動モードに移行される。すなわち、作動モードにあるガス検知器１０ａ１に係る動作モード切り替えスイッチ４０１においては、ａ接点４１が開成されると共にｂ接点４２が閉成され、また、休止モードにあるガス検知器１０ａ２に係る動作モード切り替えスイッチ４０２においては、ａ接点４１が閉成され、ｂ接点４２が開成される。他のガス検知器１０ａ３，１０ａ４に係る動作モード切り替えスイッチ４０３，４０４においては、ａ接点４１が開成されると共にｂ接点４２が閉成された状態が維持される。
これにより、センサ駆動電流供給回路３５における定電流電源回路３１よりガス検知器１０ａ２に対してのみセンサ駆動電流が供給されて当該ガス検知器１０ａ２が作動モードされると共に、予熱電流供給回路３８における電源入力端子３９より定電圧が入力されることにより、同一のガス検知器群１５ａに属する他のガス検知器１０（ａ１，ａ３，ａ４）に対して予熱電流が供給されて当該ガス検知器１０（ａ１，ａ３，ａ４）が休止モードとされる。
【００４３】
以上のような制御が繰り返して行われ、ガス検知器群１５ａに属するガス検知器１０（ａ１〜ａ４）の各々が順次に連続して作動モードとされるよう間欠的に駆動される。
【００４４】
また、他のガス検知器群１５ｂ〜１５ｅについても、同一の動作シーケンスで各ガス検知器１０が動作される。
そして、この例においては、各ガス検知器群１５ａ〜１５ｅにおける一のガス検知器が同時に作動モード、より具体的にはガス測定状態とされるよう、同期がとられた状態（動作モードの切り替えタイミングが同一となる状態）で、各ガス検知器１０の動作状態が制御される。
このように、このガス漏洩監視システムにおいては、ガス検知器群の各々において、一のガス検知器によるガス測定が行われながら、他のガス検知器に対する予熱処理が行われる。従って、ガス検知器１０が休止モードから作動モードに移行されたときに、半導体式ガスセンサ１１の検知原理上必要とされる半導体式ガスセンサ１１の暖機処理に要する時間を短縮することができる。
【００４５】
作動モードにあるガス検知器よりのセンサ信号は、信号処理回路５０に入力されて負荷抵抗５２の端子電圧が検出され、センサ出力（電圧信号）としてマイコン２１に入力される。そして、マイコン２１によって、上述した方法によって、検知対象ガスの濃度が算出され、検知対象ガスが漏洩していることが検出された場合には、例えば、適宜の警報報知手段（図示せず）による警報動作が行われる。
【００４６】
以上において、ガス検知器１０の動作条件を示すと、作動モード時に供給されるセンサ駆動電流は、例えば１３０〜２８０ｍＡの範囲内の大きさ、例えば１６７ｍＡであり、暖機処理の時間ｔ１は、例えば２〜１０分間、例えば３分間であり、ガス測定の時間ｔ２は、例えば１〜５分間、例えば２分間、作動モードの時間Ｔ０が３〜１５分間、例えば５分間である。また、休止モード時に供給される予熱電流は、例えばセンサ駆動電流の６０〜１００％の範囲内の大きさである。一のガス検知器１０についての間欠動作の周期Ｔは、例えば１０〜６０分間、例えば２０分間である。
【００４７】
而して、上記構成のガス漏洩監視システムによれば、マイコン２１によって、ガス検知器１０と管理装置２０とを接続する給電用／信号伝送用ケーブル１８の線路抵抗値Ｒが算出される。そして、センサ出力として取得される検出抵抗値（Ｒｓ＋２Ｒ）より、ガス検知器１０と管理装置２０と間の線間抵抗による影響分、具体的には、給電用／信号伝送用ケーブル１８の線路抵抗値Ｒの２倍の大きさ（２Ｒ）を排除した半導体式ガスセンサ１１の感応部１２自体のセンサ抵抗値Ｒｓが算出され、検知対象ガスの濃度が当該センサ抵抗値Ｒｓに基づいて算出されるので、得られるガス濃度値は信頼性の高いものとなる。
また、演算によりガス濃度を算出することができるので、ガス検知器１０の校正処理を行う場合には、ガス検知器１０に対して校正用ガスを供給する必要がなく、また、必ずしも、ガス検知器１０が設置された場所での作業自体を行う必要もないため、高い作業効率が得られる。特に、複数のガス検知器により構築されたガス検出システムにおいて極めて有用である。
【００４８】
また、上記構成のガス漏洩監視システムによれば、次のような効果を得ることができる。すなわち、複数のガス検知器１０が１つのグループとしてグループ化された複数のガス検知器群１５ａ〜１５ｅ毎に、ガス検知器１０における半導体式ガスセンサ１１の動作状態が制御されるので、センサ駆動電流を供給するための電源回路は、一のガス検知器群につき一のガス検知器に対するもののみでよく、従って、システム全体における電源回路の数を低減することができて、消費電力の低減を図ることができる。
【００４９】
しかも、作動モードとされる一のガス検知器における半導体式ガスセンサ１１にセンサ駆動電流が供給されながら、当該ガス検知器と同一のガス検知器群に属する他のガス検知器における半導体式ガスセンサ１１の各々に予熱電流が供給されるので、休止モードから作動モードに移行されたときに、半導体式ガスセンサ１１の出力を安定させるために必要とされる暖機処理時間を大幅に短縮することができ、しかも、休止モード時に供給される予熱電流はセンサ駆動電流以下の大きさであるため、休止モード時に半導体式ガスセンサ１１に対する給電が停止されるよう間欠制御される構成のものに比して、システム全体として消費電力の低減を図ることができる。
具体的には例えば、休止モード時に半導体式ガスセンサ１１に対する給電が停止されるよう間欠制御されることの他は、本発明に係るガス漏洩監視システムと同一の構成を有するガス漏洩監視システム（参照ガス漏洩監視システム）においては、センサ駆動電流を１６７ｍＡとしたとき、例えば１２０分間以上の暖機処理が必要となるのに対して、上述したように、本発明に係るガス漏洩監視システムにおいては、暖機処理時間は例えば３分間でよく、従って、システム全体では、本発明に係るガス漏洩監視システムは、参照ガス漏洩監視システムの３０〜６０％の消費電力に抑えることができる。
【００５０】
そして、半導体式ガスセンサ１１にあっては、その特性上、無通電時間が長くなるに従って必要とされる暖機処理時間が長くなる。従って、ガス検知器を上記の特定の動作シーケンスで動作させるガス漏洩監視システムは、半導体式ガスセンサ１１を具えたガス検知器を用いた場合に極めて有用なものとなる。
【００５１】
さらにまた、半導体式ガスセンサ１１の休止モード時において、予熱電流供給回路３８に一定の大きさの電圧を入力する構成とされていることにより、半導体式ガスセンサ１１に供給される予熱電流の大きさは、管理装置２０とガス検知器１０との設置位置との距離に応じた線間抵抗による電圧降下に依存することとなり、別個の電源回路を設けることなく、所期の大きさの予熱電流をガス検知器に供給することができ、消費電力が増大することを回避することができる。
【００５２】
以上、本発明の実施形態について説明したが、本発明は上記の実施形態に限定されるものではなく、種々の変更を加えることができる。
例えば、本発明は、冷媒ガスの漏洩監視システムに限定されるものではなく、互いに離れた位置に設置されるガス検知器と管理装置とが給電用／信号伝送用ケーブルによって接続されて構築されるガス検出システムであればよい。従って、ガス検知器としては、半導体式ガスセンサを具えたものに限定されるものではなく、検知対象ガスの接触によって抵抗値が変化するセンサ素子を有するガスセンサ、例えば接触燃焼式ガスセンサなどを具えたものを用いることができる。
また、上記のガス漏洩監視システムにおいては、一のガス検知器群に属するガス検知器の数は、ガス検知器群間で異なっていてもよい。また、実際のガス漏洩監視システムにおいて、ガス検知器群の設定方法（グループ設定方法）は特に制限されるものではないが、例えば、給電用／信号伝送用ケーブルの長さが同等のものが同一のグループに含まれるよう設定することができる。さらにまた、ガス検知器の具体的な制御条件は適宜に変更可能である。
【符号の説明】
【００５３】
１０ａ１〜１０ａ４  ガス検知器
１０ｂ１〜１０ｂ４  ガス検知器
１０ｃ１〜１０ｃ４  ガス検知器
１０ｄ１〜１０ｄ４  ガス検知器
１０ｅ１〜１０ｅ４  ガス検知器
１１  半導体式ガスセンサ
１２  感応部
１３  ヒーター
１３ａ  コイル部
１３ｂ  リード部
１４１〜１４４  センサ信号出力端子
１５ａ〜１５ｅ  ガス検知器群
１８  給電用／信号伝送用ケーブル
２０  管理装置
２１  マイコン
２１ａ  電流検知信号入力端子
２１ｂ  電流調整信号出力端子
２１ｃ〜２１ｆ  動作モード切り替え信号出力端子
２１ｇ  電圧検知信号入力端子
２１ｈ  ガス検知信号入力端子
３０ａ〜３０ｅ  センサ駆動回路
３１  定電流電源回路
３１ａ  電源入力端子
３２  ヒーター電流検出回路
３２ａ  ヒーター電流検出抵抗
３３  ヒーター電圧検出回路
３３ａ  電源入力端子
３５  センサ駆動電流供給回路
３８  予熱電流供給回路
３９  電源入力端子
４０１〜４０４  動作モード切り替えスイッチ
４１ａ  接点
４２ｂ  接点
４５  スイッチ手段
５０  信号処理回路
５１  基準電源
５２  負荷抵抗
Ｒ  線路抵抗値
Ｒｓ  センサ抵抗値
ＲＩ  ヒーター電流検出抵抗の抵抗値
ＲＬ  負荷抵抗の抵抗値
【図１】
2015017865.tif 000008
【図２】
2015017865.tif 000009
【図３】
2015017865.tif 000010
【図４】
2015017865.tif 000011